(57)【特許請求の範囲】
【請求項１】
ディスクタンブラシリンダ式のシリンダ錠であって、シリンダハウジング（１１）と、該シリンダハウジング内で回転可能に設けられたシリンダコア（１３）と、を有し、少なくとも１つの係合部（２５）をそれぞれ備える複数のディスクタンブラ（２１）がシリンダコア内に設けられており、これらのディスクタンブラは、解錠位置と施錠位置との間で移動可能であるとともに、バイアス方向（Ｘ）に沿って施錠位置へと付勢されており、施錠位置では、係合部（２５）がそれぞれシリンダハウジング（１１）の関連する切欠き部（１５）に係合して、シリンダハウジングに対するシリンダコア（１３）の回転動作を阻止しており、ディスクタンブラ（２１）が解錠位置にあるときは、シリンダコア（１３）がシリンダハウジング（１１）に対して回転解錠方向（Ｏ）に回転可能となっているシリンダ錠において、
少なくとも１つのディスクタンブラ（２１）は、歯付き領域（３５）を有し、この歯付き領域は、ディスクタンブラ（２１）が施錠位置にあり、かつシリンダコア（１３）に回転解錠方向（Ｏ）のトルクが加えられたときに、ディスクタンブラ（２１）のバイアス方向（Ｘ）とは反対方向の移動を阻止するように、シリンダ錠の対向する歯付き領域（６３）と係合可能となっており、
前記少なくとも１つのディスクタンブラ（２１）の歯付き領域（３５）と、シリンダ錠の対向する歯付き領域（６３）とは、シリンダコア（１３）内で協働しており、
対向する歯付き領域（６３）は、シリンダ錠の少なくとも１つのブロック要素（４７）に設けられており、このブロック要素は、シリンダコア（１３）およびシリンダハウジング（１１）とは別体であり、
前記少なくとも１つのブロック要素（４７）は、シリンダコア（１３）によって移動可能に支持されており、
前記少なくとも１つのディスクタンブラ（２１）の歯付き領域（３５）が、前記少なくとも１つのブロック要素（４７）の対向する歯付き領域（６３）と協働するときに、前記少なくとも１つのブロック要素（４７）は、シリンダハウジング（１１）によって支持されており、
前記少なくとも１つのブロック要素（４７）は、シリンダハウジング（１１）に支持されているときに、該シリンダハウジング（１１）に設けられた阻止用切欠き部（１９）に係合し、これにより、シリンダハウジングに対するシリンダコア（１３）の回転動作を阻止することを特徴とするシリンダ錠。
【発明の詳細な説明】
【技術分野】
【０００１】
本発明は、シリンダハウジングと、シリンダハウジング内で回転可能に設けられたシリンダコアと、を有し、少なくとも１つの係合部をそれぞれ備える（ウェーハタンブラとも呼ばれる）複数のディスクタンブラがシリンダコア内に設けられている（ウェーハシリンダとも呼ばれる）ディスクタンブラシリンダ式のシリンダ錠に関する。
【背景技術】
【０００２】
ディスクタンブラは、解錠状態と施錠状態との間で移動可能であり、それぞれバイアス方向に沿って施錠位置に付勢されている。施錠位置では、係合部がシリンダハウジングの関連する切欠き部にそれぞれ係合し、シリンダハウジングに対するシリンダコアの回転動作を阻止する。ディスクタンブラが解錠位置にあるときには、シリンダコアはシリンダハウジングに対して回転解錠方向に回転可能となる。
【０００３】
このようなシリンダ錠の問題は、いわゆるピッキングである。これは、シリンダ錠を力を用いずかつ一致する鍵を使用せずに開ける試みである。この目的のため、特別な解錠工具が使用され、ディスクタンブラは付勢に対抗して対応する施錠位置の外にシリンダハウジングとシリンダコアとの間の環状の間隙まで動かされる。このとき、いわゆるテンションレバーなどによって回転解錠方向に適切なトルクがシリンダコアに同時に加えられると、通常存在する回転の遊びを利用してディスクタンブラが関連するシリンダハウジングの切欠き部の端部に引っかかり、所望の阻止効果を伴わずにシリンダコアが回転可能となる場合がある。この点に関しては、個々のディスクタンブラについて実行されるディスクタンブラの一連の“設定”の話になる。
【０００４】
上述の種類のシリンダ錠は、特許文献１によって知られている。このシリンダ錠では、少なくとも２つのディスクタンブラが、対応するディスクタンブラの係合部と対応するシリンダハウジングの切欠き部の側方の境界との間に回転解錠方向で異なる回転の遊びを有することにより、ピッキングに対する安全性が高められている。このようなシリンダ錠の価値は実用で認められているが、ピッキングに対する安全性をさらに向上させる必要がある。
【先行技術文献】
【特許文献】
【０００５】
【特許文献１】独国特許出願公開第１０２００７０５６７３９号明細書
【発明の概要】
【発明が解決しようとする課題】
【０００６】
本発明の目的は、不正操作、特にピッキングに対する安全性が向上したディスクタンブラシリンダ式のシリンダ錠を提供することである。
【課題を解決するための手段】
【０００７】
上述の目的は、請求項１の特徴を有するシリンダ錠によって達成され、特に少なくとも１つのディスクタンブラが歯付き領域を有し、この歯付き領域が、ディスクタンブラが施錠位置にあり、かつシリンダコアに回転解錠方向のトルクが加えられたときに、ディスクタンブラの対応するバイアス方向への移動が阻止されるように、シリンダ錠の対向する歯付き領域と係合可能となっているシリンダ錠によって達成される。
【０００８】
本発明のシリンダ錠では、１つまたは複数のディスクタンブラのそれぞれの歯付き領域が、関連するシリンダ錠の対向する歯付き領域と歯合によって協働し、シリンダコアに回転解錠方向のトルクが加えられたときに対応するディスクタンブラを施錠位置に阻止する。つまり、歯付き領域と関連する対向する歯付き領域との間に形状の一致が生じる。これにより、上述したディスクタンブラのそれぞれの“設定”が阻止される。すなわち、各々のディスクタンブラが、施錠位置から解錠位置に不正に動かされることが全く許可されない。この点において、関連する鍵によるシリンダ錠の意図された操作とは異なり、典型的な不正操作では、シリンダコアに回転解錠方向のトルクが同時に加えられるという状況が利用される。換言すると、ディスクタンブラのそれぞれの歯付き領域は、ディスクタンブラの施錠位置から、シリンダコアが回転解錠方向に（回転の遊びによりある程度可能なことにより）回転されるとすぐに関連する対向する歯付き領域と歯合する。よって、典型的なピッキングの範囲内では、それぞれのディスクタンブラを最初から解錠位置に全く近づけることができず、ディスクタンブラが（特に全てのディスクタンブラが順に）解錠位置に保持されるおそれがない。
【０００９】
本発明の有利な実施例は、以下および従属項に記載されている。
【００１０】
特に単純な実施例では、少なくとも１つのディスクタンブラの歯付き領域と、関連するシリンダ錠の対向する歯付き領域とは、少なくとも１つのリセスまたはこのリセスに挿入可能な少なくとも１つの突出部を有する。上述した歯合により、一般に使用されるピッキング工具ではどのようにしても大きな力を伝達することができないため、それぞれのディスクタンブラを施錠位置に阻止することができることが理解されよう。
【００１１】
さらに、歯合は、少なくとも１つのディスクタンブラの歯付き領域と、関連するシリンダ錠の対向する歯付き領域とが、バイアス方向に実質的に垂直に延びる方向で協働するときに特に有効である。換言すると、形状の一致による連結が実現され、特にディスクタンブラが解錠位置に不正に動かされることが確実に防止される。
【００１２】
他の実施例によると、少なくとも１つのディスクタンブラの歯付き領域と、シリンダ錠の対向する歯付き領域とは、シリンダコア内で協働し、すなわち、シリンダハウジングとシリンダコアとの間の環状の間隙内で回転軸に対して径方向に協働する。これにより、例えば、（ディスクタンブラの係合部のための）シリンダハウジングの切欠き部に形成する必要がないため、より単純でかつより正確に対向する歯付き領域を形成することができる。
【００１３】
関連する鍵による許可された操作時に、通常の許容誤差にかかわらずシリンダ錠が確実に正しく機能するように、少なくとも１つのディスクタンブラの歯付き領域と関連するシリンダ錠の対向する歯付き領域とは、シリンダコアに回転解錠方向とは反対方向のトルクが加えられたときに歯合が解除されるように協働することが好ましい。よって、上述した歯合によるディスクタンブラの施錠位置での意図しない阻止を解除するには、関連する鍵によってシリンダコアを僅かに回転解錠方向とは逆方向に回転させればよい。
【００１４】
また他の有利な実施例では、少なくとも１つのディスクタンブラは、係合部に加えて追加の係合部を有し、この追加の係合部は、バイアス方向に対して係合部の反対側に設けられる。この場合には、ディスクタンブラは、ディスクタンブラがバイアス方向の反対方向で追加の係合部が関連するシリンダハウジングの追加の切欠き部に係合する追加の施錠位置の方向に動かされた場合でも、シリンダハウジングに対するシリンダコアの回転移動を阻止する。この実施例のディスクタンブラは、追加の歯付き領域を有し、この追加の歯付き領域は、ディスクタンブラが追加の施錠位置にあり、かつシリンダコアに回転解錠方向にトルクが加えられたときに、ディスクタンブラのバイアス方向に沿った移動を阻止するように、シリンダ錠の対向する歯付き領域と係合可能となっている。換言すると、ディスクタンブラの追加の係合部は、（歯付き領域と対向する歯付き領域との）上述の歯合にかかわらず、ディスクタンブラをバイアス方向とは逆方向に移動することができ、かつディスクタンブラがこのような移動によって解錠位置を超えて追加の施錠位置に動かされた場合に、同様にシリンダハウジングに対するシリンダコアの移動を阻止するように機能する。このような場合には、追加の歯付き領域と関連する対向する歯付き領域との歯合により、シリンダコアの回転が不可能になる。従って、この実施例は、不正操作に対する安全性をさらに向上させる。
【００１５】
好適実施例では、対向する歯付き領域は、シリンダ錠の少なくとも１つのブロック要素に設けられており、このブロック要素は、シリンダコアおよびシリンダハウジングとは別体である。対向する歯付き領域は、例えばブロック要素の外側に設けられた歯付き構造とすることができ、シリンダハウジングの溝などに形成しなくていいので、シリンダ錠の製造が単純化される。
【００１６】
このような別体のブロック要素を用いる場合には、シリンダコアによって移動可能に支持することがさらに好ましい。別体のブロック要素の可動性によって、歯付き領域と関連する対向する歯付き領域とをより確実に係合させてシリンダコアの回転に対する追加の保護を提供することができる。
【００１７】
ブロック要素は、特にシリンダコアによってピボット可能に支持することができ、ピボット軸がシリンダコアの回転軸に平行に延びることが好ましい。
【００１８】
また、ブロック要素の対向する歯付き領域が、ディスクタンブラのそれぞれの関連する歯付き領域と確実に係合解除されるように、ブロック要素がシリンダハウジングの方向、すなわち対応する歯付き領域または対応するディスクタンブラから離れる方向に付勢されることがさらに好ましい。
【００１９】
ブロック要素が可動であれば、ブロック要素は、それぞれのディスクタンブラの歯付き領域が対向する歯付き領域と上述のように協働してディスクタンブラを施錠位置に阻止するときにシリンダハウジングによって支持されることがさらに好ましい。シリンダハウジングによるブロック要素の支持により、シリンダコアに回転解錠方向にトルクが加えられたときに、歯付き領域と関連する対向する歯付き領域との係合が確実に得られ、ブロック要素は、シリンダコアの回転動作に追従することなどがない。換言すると、関連するディスクタンブラのブロック要素は確実に“逃げる”ことがない。
【００２０】
ブロック要素は、シリンダハウジングに支持されているときに、シリンダハウジングに対するシリンダコアの回転動作を阻止することが特に有利である。換言すると、ブロック要素は、（ディスクタンブラと関連するシリンダハウジングの切欠き部との協働に加えて）シリンダコアの回転に対する阻止手段となる。よって、ディスクタンブラは、比較的小さい寸法とすることができる。シリンダ錠の特に小型の形状は、特に（シリンダコアの回転軸に対して）軸方向で相応に薄いディスクタンブラによるものである。
【００２１】
さらに他の有利な実施例によると、ディスクタンブラは、歯付き領域に隣接して開放用切欠き部を有し、関連する鍵の正しい使用によってディスクタンブラが解錠位置にあるときに対応するブロック要素が開放用切欠き部に係合可能であり、ブロック要素がディスクタンブラの開放用切欠き部に係合すると、上述のブロック要素によるシリンダコアの阻止が解除される。よって、開放用切欠き部は、シリンダコアとシリンダハウジングとの間の回転に対する阻止手段を解除してブロック要素の移動を可能にするが、対応するディスクタンブラが解錠位置にあるときのみにブロック要素の対応する移動が可能となる。
【００２２】
また他の実施例では、対応するブロック要素が、複数のディスクタンブラ、特にシリンダ錠の全てのディスクタンブラと関連して設けられている。これにより、不正操作に対して特に高い安全性が得られる。
【００２３】
特に、共通のブロック要素を複数のディスクタンブラに関連して設けることができる。よって、複数の別体のブロック要素が不要であり、これにより、シリンダ錠の単純な構造が有利に得られる。
【００２４】
本発明は、以下に図面を参照して例示的に説明される。
【図面の簡単な説明】
【００２５】
【図１】ディスクタンブラ錠の分解図である。
【図２ａ】ディスクタンブラ錠の施錠状態の断面図である。
【図２ｂ】シリンダハウジングを取り除いたディスクタンブラ錠の施錠状態の斜視図である。
【図３ａ】シリンダコアを９０°回転した状態におけるディスクタンブラ錠の解錠状態の断面図である。
【図３ｂ】シリンダコアを９０°回転した状態におけるシリンダハウジングを取り除いたディスクタンブラ錠の解錠状態の斜視図である。
【発明を実施するための形態】
【００２６】
ディスクタンブラシリンダ錠について、まずは主に図１を参照して説明する。錠は、シリンダハウジング１１と、シリンダハウジング１１内で回転可能に設けられたシリンダコア１３を有する。シリンダハウジング１１は、切欠き部１５と、切欠き部１７（図２ａ，図３ａ参照）を有し、これらの切欠き部１５，１７は、シリンダコア１３の回転軸Ａに平行でかつ互いに正反対の位置でシリンダハウジング１１の内側ジャケット面に溝状に延びている。シリンダハウジング１１は、さらに、内側ジャケット面に阻止用切欠き部１９を有しており、この切欠き部１９も回転軸Ａに平行に延びている。切欠き部１５，１７と阻止用切欠き部１９は、シリンダハウジング１１の内側ジャケット面の実質的に円形の断面からずれた部分を形成する。
【００２７】
複数のディスクタンブラ２１が、シリンダコア１３内で並進するように移動可能に保持されている。各々のディスクタンブラ２１は、コア部２３と、係合部２５と、回転軸Ａに対して正反対に設けられた係合部２７と、を有する。コア部２３は、対応するディスクタンブラの鍵用開口部２９を取り囲み、ディスクタンブラ２１の鍵用開口部２９とシリンダコア１３の挿入口３１とが協働して鍵穴３３を構成する。歯付き領域３５と、バイアス方向Ｘで歯付き領域３５に隣接する歯付き領域３７が、各々のディスクタンブラ２１に設けられている。各々のディスクタンブラ２１の歯付き領域３５と歯付き領域３７との間には、開放用切欠き部３９が設けられている。よって、開放用切欠き部３９は、バイアス方向Ｘで対応する歯付き領域３５に隣接して設けられる。さらに、付勢ばね４１が、各々のディスクタンブラ２１に関連して設けられており、この付勢ばね４１によって、ディスクタンブラ２１がバイアス方向Ｘに沿って以下で説明する施錠位置に付勢される。
【００２８】
図示のディスクタンブラシリンダ錠は、さらに、回転を防止するタンブラ４３を含み、このタンブラ４３は、シリンダコア１３内に同様に移動可能に保持されており、かつ付勢ばね４５がこれに関連して設けられている。
【００２９】
ディスクタンブラシリンダ錠は、さらに、ブロック要素４７を有し、このブロック要素４７は、シリンダコア１３のリンク開口部５１に係合するリンクピン４９によってシリンダコア１３にピボット可能に取り付けられている。リンクピン４９は、トーションばね５３を通されており、このトーションばね５３は、（図２ａ，図３ａを参照して）以下で説明するように、ブロック要素４７およびシリンダコア１３と協働してブロック要素４７をディスクタンブラの歯付き領域３５から離れるようにバイアス方向Ｙに付勢する。この付勢は、ブロック要素４７の支持部５７とシリンダコア１３のばね取付部５９との間に取り付けられる圧縮ばね５５によっても支持される。ブロック要素４７は、さらに、シリンダコア１３の回転軸Ａに平行に延在するウェブ部６１を有している。ウェブ部６１は、ディスクタンブラ２１に面する側に対向する歯付き領域（ｃｏｕｎｔｅｒ−ｔｏｏｔｈｅｄ  ｚｏｎｅ）６３を備える。ブロック要素４７は、さらに、ディスクタンブラ２１から離れた外側面に回転軸Ａに平行に延在する支持部６５を有する。
【００３０】
図示のディスクタンブラ錠は、さらに、ドリル保護プレート６７と関連する鍵６９を含む。
【００３１】
図示のディスクタンブラシリンダ錠の一般的な動作は、主に図２ａ，図３ａを参照して以下で説明する。図２ａは、関連する鍵６９を完全に挿入する前の錠を示している。対応する付勢ばね４１による付勢により、ディスクタンブラ２１は、対応する係合部２５がシリンダハウジング１１の関連する切欠き部１５に係合している施錠位置にある。これにより、シリンダハウジング１１に対するシリンダコア１３の回転動作が阻止される。もし、関連する鍵６９が鍵穴３３に完全に挿入されていれば、ディスクタンブラ２１は、バイアス方向Ｘとは反対の解錠位置に移動し、係合部２５はシリンダハウジング１１の切欠き部１５から引っ込んで、シリンダハウジング１１とシリンダコア１３との間に形成される環状の間隙の高さに位置する。シリンダコア１３は、この時点で鍵６９によって解錠方向Ｏに回転可能となる。図３ａは、このように９０°回転した結果を示している。回転する安全タンブラ４３（図１参照）は、関連する鍵６９が鍵穴３３に完全に挿入されない限りシリンダコア１３の回転動作を阻止する。
【００３２】
異なるディスクタンブラ２１では、特に両方向で使用できる鍵６９を使用する場合に、バイアス方向Ｘを互いに反対に向けることができる。この場合には、１つのディスクタンブラ２１の施錠位置は、他のディスクタンブラ２１の施錠位置とは正反対に設けられる。
【００３３】
図示のディスクタンブラシリンダ錠の特別な特徴は、ピボット可能なブロック要素４７のウェブ部６１に設けられた対向する歯付き領域６３と協働するディスクタンブラ２１の各々の歯付き領域３５である。解錠方向Ｏでシリンダコア１３にトルクが加えられると、対応するディスクタンブラ２１が図２ａの施錠位置にある限り、ディスクタンブラ２１の各々の歯付き領域３５は、対向する歯付き領域６３と形状的に一致した係合状態となる。バイアス方向Ｙに付勢されたブロック要素４７は、シリンダコア１３にかかるトルク荷重にかかわらずブロック要素４７が後退しないように、ブロック要素４７の支持部６５がシリンダハウジング１１の阻止用切欠き部１９に係合した状態でシリンダハウジング１１の内側ジャケット面に支持されている。このように得られる歯付き領域３５と対向する歯付き領域６３との間の形状的に一致した係合状態によって、各々のディスクタンブラ２１は、バイアス方向Ｘとは反対方向の移動、すなわち図２ａに示す施錠位置から解錠位置への移動が阻止される。これにより、錠は、ディスクタンブラ２１の一連の“設定”をトルクを加えながら行うことによる不正な解錠から効果的に保護され、各々のディスクタンブラ２１の施錠位置から解錠位置への変位は全く許可されない。
【００３４】
対応する歯付き領域３５と対向する歯付き領域６３の形状的に一致した係合状態の動作方向は、ディスクタンブラ２１のバイアス方向Ｘに実質的に垂直に、すなわちブロック要素４７のバイアス方向Ｙに実質的に平行に延びている。ブロック要素４７の方向Ｙへの付勢により、ディスクタンブラ２１の歯付き領域３５とブロック要素４７の対向する歯付き領域６３との意図しない係合が防止される。
【００３５】
ブロック要素４７の支持部６５がシリンダハウジング１１の阻止用切欠き部１９に係合することにより、ディスクタンブラ２１が図２ａに示す施錠位置にある限り、（ディスクタンブラ２１の係合部２５に加えて）ブロック要素４７によってシリンダハウジング１１に対するシリンダコア１３の回転動作が阻止される。しかし、関連する鍵６９を鍵穴３３に挿入することによって全てのディスクタンブラ２１が対応する解錠位置に移動すると、シリンダコア１３を回転解錠方向Ｏに回転させることで、ブロック要素４７のウェブ部６１がディスクタンブラのそれぞれの開放用切欠き部３９内へとピボット可能となり、上述したブロック要素４７の追加の阻止効果が取り消される。この点で、シリンダハウジング１１の内側ジャケット面は、ブロック要素４７のピボット動作のためのスロット付のリンクガイドとして機能する。図３ｂには、この状態において、ディスクタンブラ２１に設けられた開放用切欠き部３９が、ブロック要素４７のウェブ部６１を受け入れる貫通溝を形成しているのが示されている。
【００３６】
また、図２ａには、対応するディスクタンブラ２１が図２ａに示す施錠位置から上述の解錠位置を超えて別の施錠位置に移動した場合には、シリンダハウジング１１の切欠き部１７が、ディスクタンブラ２１の係合部２７との協働により、シリンダハウジング１１に対するシリンダコア１３の回転動作を阻止することが示されている。この場合には、それぞれのディスクタンブラ２１の歯付き領域３７とブロック要素４７の対向する歯付き領域６３との間に形状的に一致した係合状態が得られ、シリンダコア１３に回転解錠方向Ｏのトルクが加えられている限り、ディスクタンブラ２１が戻る方向に移動することが阻止される。
【符号の説明】
【００３７】
１１…シリンダハウジング
１３…シリンダコア
１５…切欠き部
１７…切欠き部
１９…阻止用切欠き部
２１…ディスクタンブラ
２３…コア部
２５…係合部
２７…係合部
２９…鍵用開口部
３１…挿入口
３３…鍵穴
３５…歯付き領域
３７…歯付き領域
３９…開放用切欠き部
４１…付勢ばね
４３…回転安全ディスクタンブラ
４５…付勢ばね
４７…ブロック要素
４９…リンクピン
５１…リンク開口部
５３…トーションばね
５５…圧縮ばね
５７…支持部
５９…ばね取付部
６１…ウェブ部
６３…対向する歯付き領域
６５…支持部
６７…ドリル保護プレート
６９…鍵
Ａ…シリンダコアの回転軸
Ｘ…ディスクタンブラのバイアス方向
Ｙ…ブロック要素のバイアス方向
Ｏ…シリンダコアの回転解錠方向
【図１】
0005623152.tif 000002
【図２ａ】
0005623152.tif 000003
【図２ｂ】
0005623152.tif 000004
【図３ａ】
0005623152.tif 000005
【図３ｂ】
0005623152.tif 000006